(57)【要約】【課題】部品点数を少なくし、フランジとネジ取付との接続をより強固にすること。【解決手段】本発明の固定部品において、突起部１２０は、外周面に沿って周方向に伸びる第１突起部分１２１と、該周方向に垂直方向に伸びる第２突起部分１２３とを有し、突起係合部１２３は、フランジ１００およびネジ取付２００が周方向の所定の一方向に相対的に回転される際に、第１突起部分１２１が嵌め込まれる案内溝および第２突起部分１２３が乗越突起部１２７を乗り越えて嵌め込まれる嵌込溝とで形成されている。【選択図】図２
2014071961.tif 000002
【特許請求の範囲】
【請求項１】
フランジと、リング取付がネジ構造によって締め付け可能なネジ取付とで取付パネルの取付孔の縁を挟み込むことにより取り付けられるスイッチの固定部品であって、
前記フランジは、断面円形の外周面に突起部が設けられ、
前記ネジ取付は、断面円形の内周面に前記フランジの突起部が挿入される挿入領域と、前記フランジの突起部が嵌め込まれる突起係合部と、前記突起係合部と前記挿入領域との間に形成された、前記突起係合部および前記挿入領域よりも小さい内径を有する乗越突起部とが設けられ、
前記突起部は、外周面に沿って周方向に伸びる第１突起部分と、該周方向に垂直方向に伸びる第２突起部分とを有し、
前記突起係合部は、前記フランジおよび前記ネジ取付が周方向の所定の一方向に相対的に回転される際に、前記第１突起部分が嵌め込まれる案内溝および前記第２突起部分が前記乗越突起部を乗り越えて嵌め込まれる嵌込溝とで形成されていることを特徴とする、固定部品。
【請求項２】
前記第２突起部分は、前記第１突起部分から伸びており、
前記乗越突起部の周方向の端面は、前記案内溝の壁面の一部であることを特徴とする、請求項１に記載の固定部品。
【請求項３】
前記第２突起部分は、前記突起部が前記突起係合部に嵌め込まれる嵌込回転方向の前方側の端面が該嵌込回転方向の前方側から後方側に鋭角に傾斜した斜面であり、該嵌込回転方向の後方側の端面が垂直面であることを特徴とする、請求項１または２に記載の固定部品。
【請求項４】
前記乗越突起部は、前記フランジの突起部が前記突起係合部に嵌め込まれる嵌込回転方向の前方側の端面が垂直面であり、該嵌込回転方向の後方側の端面が該嵌込回転方向の後方側から前方側に鋭角に傾斜した斜面であることを特徴とする、請求項１〜３のいずれかに記載の固定部品。
【請求項５】
請求項１〜４のいずれかに記載の固定部品を備える、押しボタン式スイッチ。
【請求項６】
請求項１〜４のいずれかに記載の固定部品を備える、セレクタスイッチ。
【発明の詳細な説明】
【技術分野】
【０００１】
本発明は、押しボタン式スイッチ、セレクタスイッチ、それらの固定部品に関する。
【背景技術】
【０００２】
従来、民生用機器等のスイッチとして、押しボタン式スイッチが用いられている。例えば押しボタン式スイッチとして、図８（ａ），（ｂ）に記載のスイッチが知られている。この押しボタン式スイッチ２は、図７に示されるように装置筐体に固定されるスイッチであり、操作部ユニットとスイッチ部ユニットから構成され、操作部ユニットにおける押下部が押下される毎にスイッチ部ユニットのオンとオフとが切り換えられる。
【０００３】
押しボタン式スイッチ２は、一般的に装置筐体に設けられた穴にはめ込まれ、押下部を装置筐体外部に露出させた状態で固定される。具体的には、押しボタン式スイッチ２の操作部ユニットを構成する部品の一部が当該スイッチを装置筐体に固定する役割を果たしている。この固定部品が、図８（ａ），（ｂ）に示されるフランジ５０およびネジ取付７０、ネジ取付７０の径と同程度の大きさの開口を有する支持部材８０、リング取付９０である。フランジ５０およびネジ取付７０は共に略円筒状をなし、内部に押下部のピストン動作を可能にするためのバネやスライダ等が配置される。
【０００４】
ネジ取付７０とリング取付９０とは、ネジ構造によって締付可能であり、ネジ取付７０におけるリング取付９０が接続される側とは反対側に、フランジ５０が取り付けられる。装置筐体への押しボタン式スイッチ２の取付は、フランジ５０を取り付けたネジ取付７０を装置筐体に形成された取付用の穴に、筐体の表側から挿入し、フランジ５０のフランジ部分と、装置筐体裏面側に配置された支持部材８０とで装置筐体の穴の縁を挟み込んだ状態で、ネジ取付７０にリング取付がはめ込まれ、締め付けられることによって可能である。
【０００５】
フランジ５０とネジ取付７０とは、フランジ５０の下部の外周面に形成された一対の三角形の突起部５１がネジ取付７０の上部における対応する箇所に設けられた一対の小さな穴７１に係合することにより、接続される。
【０００６】
一方、図８の構成以外にも、フランジとネジ取付とを接続する機構は、非特許文献１に記載のようなものが存在する。具体的には、図９（ａ）〜（ｃ）に示されるように、操作部ユニットが有する固定部品は、フランジ１０およびネジ取付３０、ネジ取付３０の径と同程度の大きさの開口を有する支持部材（図８に記載のものと同様であるので、図示せず）、リング取付（図８に記載のものと同様であるので、図示せず）である。
【０００７】
ネジ取付３０は、上部の内周面に周方向に伸びるガイド部材３１が複数箇所設けられ、フランジ１０は、下部の外周面に、周方向に伸びるフック１３が複数箇所設けられている。ネジ取付３０とフランジ１０とは、フック１３をガイド部材３１に挿入し、奥に突き当たるまでネジ取付３０に対してフランジ１０を回転させることにより係合させる。さらに、ネジ取付３０の上部におけるガイド部材３１の挿入口近傍には、ネジ穴３５が設けられ、このネジ穴３５にイモネジ３３がねじ込まれ、ガイド部材３１の挿入口をイモネジ３３によって塞ぐことにより、フック１３の移動を阻止している。
【先行技術文献】
【非特許文献】
【０００８】
【非特許文献１】ＩＤＥＣ、「フラッシュ シルエット スイッチ  LW シリーズコントロールユニット」、［online］、［平成 24年 9月 7日検索］、インターネット〈 URL：http://www.idec.com/jpja/products/Catalogs/Switches/FLUSH_LW/index.html〉
【発明の概要】
【発明が解決しようとする課題】
【０００９】
しかしながら、非特許文献１に記載の技術は、フランジ１０とネジ取付３０とを固定するためには、フック１３の移動を阻止するイモネジ３３が必要であり、その分部品点数が多くなる。また、フランジ１０とネジ取付３０との固定をさらに強くするために、接着剤も必要となる。
【００１０】
一方、図８に示す技術は、単にフランジ５０をネジ取付７０に挿入し、突起部５１と穴７１とが係合することで、フランジ５０とネジ取付７０とを固定しているので、ネジ取付７０に強い力が加えられたとき、その力に耐えることができない。つまり、装置筐体に押しボタン式スイッチを取り付ける際に、ネジ取付７０をリング取付９０によって十分に締め付ける必要がある。そのため、その力によって突起部５１と穴７１の縁とが押し付け合い、突起部５１が破壊されてしまうといった問題がある。具体的には、締付トルク２Ｎ・ｍで突起部５１が破壊された。なお、突起部５１を大きく丈夫にすることで、破壊され難くできるが、その場合には、フランジ５０の突起部５１を有する部分の外径がネジ取付７０の内径より大きくなるために、フランジ５０をネジ取付７０に挿入できなくなる。
【００１１】
本発明は、上記課題を解決するためになされたものであり、この発明の目的は、部品点数を少なくし、フランジとネジ取付との接続をより強固にすることが可能な押しボタン式スイッチ、セレクタスイッチ、それらの固定部品を提供することである。
【課題を解決するための手段】
【００１２】
上記の課題を解決するために、本発明の固定部品は、フランジと、リング取付がネジ構造によって締め付け可能なネジ取付とで取付パネルの取付孔の縁を挟み込むことにより取り付けられるスイッチの固定部品であって、前記フランジは、断面円形の外周面に突起部が設けられ、前記ネジ取付は、断面円形の内周面に前記フランジの突起部が挿入される挿入領域と、前記フランジの突起部が嵌め込まれる突起係合部と、前記突起係合部と前記挿入領域との間に形成された、前記突起係合部および前記挿入領域よりも小さい内径を有する乗越突起部とが設けられ、前記突起部は、外周面に沿って周方向に伸びる第１突起部分と、該周方向に垂直方向に伸びる第２突起部分とを有し、前記突起係合部は、前記フランジおよび前記ネジ取付が周方向の所定の一方向に相対的に回転される際に、前記第１突起部分が嵌め込まれる案内溝および前記第２突起部分が前記乗越突起部を乗り越えて嵌め込まれる嵌込溝で形成されている。
【００１３】
上記の構成によれば、前記突起係合部は、前記フランジおよび前記ネジ取付が周方向の所定の一方向に相対的に回転される際に、前記第１突起部分が嵌め込まれる案内溝と、前記第２突起部分が前記乗越突起部を乗り越えて嵌め込まれる嵌込溝とで形成されている。
【００１４】
このため、フランジの突起部が突起係合部に嵌め込まれている状態において、第１突起部分の周方向に沿った端面が案内溝の壁面と対向することにより、フランジの突起部が周方向に垂直な方向に移動することを阻止することができる。また、この状態において、第２突起部分の周方向に垂直な端面が嵌込溝の壁面と対向することにより、フランジの突起部が周方向に移動することを阻止することができる。これにより、従来と違ってイモネジなどで突起部の移動を阻止する部材を別に設ける必要がない。このため、イモネジが無い分、部品点数を少なくすることができるとともに、ねじ込み作業の工程も不要である。
【００１５】
また、突起部が乗越突起部を乗り越える構成であるので、挿入領域に嵌る範囲でフランジの突起部の厚みを厚く調整することができる。したがって、部品点数を少なくし、フランジとネジ取付との接続をより強固にすることが可能な固定部品を提供することができる。
【００１６】
また、本発明の固定部品において、前記第２突起部分は、前記第１突起部分から伸びており、前記乗越突起部の周方向の端面は、前記案内溝の壁面の一部である。
【００１７】
上記の構成によれば、乗越突起部の周方向に沿った端面は、案内溝の壁面の一部であるので、フランジの第１突起部分の案内と、フランジの突起部の周方向に垂直な方向への移動の阻止との両方の役割を果たす。このため、乗越突起部の周方向に沿った端面を有効に利用することができる。また、第２突起部分は、第１突起部分から伸びているので、第２突起部分が第１突起部分から伸びていない構成に比べ、案内溝を短くすることができる。したがって、ネジ取付のスペースを有効に利用することができる。
【００１８】
また、本発明の固定部品において、前記第２突起部分は、前記突起部が前記突起係合部に嵌め込まれる嵌込回転方向の前方側の端面が該嵌込回転方向の前方側から後方側に鋭角に傾斜した斜面であり、該嵌込回転方向の後方側の端面が垂直面である。
【００１９】
また、前記乗越突起部は、前記フランジの突起部が前記突起係合部に嵌め込まれる嵌込回転方向の前方側の端面が垂直面であり、該嵌込回転方向の後方側の端面が該嵌込回転方向の後方側から前方側に鋭角に傾斜した斜面である。
【００２０】
上記の構成によれば、第２突起部分の斜面が乗越突起部の斜面に接触しながら乗り上げていくので、フランジをネジ取付に対して滑らかに回転させることができる。また、突起部が突起係合部に嵌め込まれた状態において、第２突起部分の垂直面と乗越突起部の垂直面とが対向するので、突起係合部から挿入領域への方向に力が加えられたとしても、フランジの第２突起部分が乗越突起部を乗り上げし難い。
【００２１】
また、上記課題を解決するために、本発明の押しボタン式スイッチおよびセレクタスイッチは、前記固定部品を備える。
【００２２】
上記の構成によれば、フランジとネジ取付との接続をより強固にすることが可能な押しボタン式スイッチおよびセレクタスイッチを提供することができる。
【発明の効果】
【００２３】
本発明は、部品点数を少なくし、フランジとネジ取付との接続をより強固にすることができるといった効果を奏する。
【図面の簡単な説明】
【００２４】
【図１】本実施の形態における押しボタン式スイッチの一例を示す斜視図である。
【図２】操作部ユニットが有するフランジおよびネジ取付を示す図である。
【図３】フランジの正面図である。
【図４】ネジ取付を拡大した斜視図である。
【図５】フランジの突起部がネジ取付の挿入領域に挿入された状態を示す図である。
【図６】図５のＡ−Ａ’線断面において、フランジとネジ取付とを接続する流れを示す図である。
【図７】従来の押しボタン式スイッチが装置筐体に固定された状態を示す図である。
【図８】従来の押しボタン式スイッチを示す斜視図である。
【図９】従来の押しボタン式スイッチの操作部ユニットが有するフランジおよびネジ取付を示す図である。
【発明を実施するための形態】
【００２５】
図面を参照しつつ、本発明の実施の形態について説明する。以下の説明では、同一の部材には同一の符号を付してある。それらの名称および機能も同じである。したがって、それらについての詳細な説明は繰り返さない。
【００２６】
図１（ａ），（ｂ）は、本実施の形態における押しボタン式スイッチの一例を示す斜視図である。図１（ａ）が押しボタン式スイッチの外観を示す斜視図であり、図１（ｂ）が押しボタン式スイッチの分解斜視図である。図１（ａ），（ｂ）に示されるように、押しボタン式スイッチ１は、取付パネル（装置筐体）に固定されるスイッチであり、操作部ユニットとスイッチ部ユニットから構成され、操作部ユニットにおける押下部５００が押下される毎にスイッチ部ユニットのオンとオフとが切り換えられる。押下部５００は、ピストン動作を可能にするためのバネおよびスライダ、キャップ等のボタン部品で構成される。
【００２７】
図２（ａ），（ｂ）は、操作部ユニットが有するフランジおよびネジ取付を示す図である。図１（ａ）がフランジとネジ取付の組立前を示す斜視図であり、図１（ｂ）がフランジとネジ取付の組立後を示す斜視図である。図３は、フランジの正面図である。図４は、ネジ取付を拡大した斜視図である。以下、押しボタン式スイッチの押下げ方向の上流側を上、下流側を下として説明する。
【００２８】
図２（ａ），（ｂ）および図３，４に示されるように、フランジ１００およびネジ取付２００は共に略円筒状の部材であり、これらの内部に、押しボタンのピストン動作を可能にするためのバネやスライダが配置される。
【００２９】
フランジ１００は、ネジ取付２００と接続される下部外周面に突起部１２０を有する。一方、ネジ取付２００は、フランジ１００と接続される上部内周面に、フランジ１００の突起部１２０を挿入させるための挿入領域２１１と、フランジ１００の突起部１２０が係合して、フランジ１００とネジ取付２００とを接続させる突起係合部（嵌込溝、案内溝）２１３とを有する。突起係合部２１３は、突起部１２０と係合して、フランジとネジ取付の周方向（回転方向）の移動およびフランジとネジ取付の上下方向の移動を規制するものである。
【００３０】
なお、フランジ１００およびネジ取付２００の材質は、例えばガラス３０％入りのＰＢＴであるが、他の材質であってもよい。互いに同一の材質の組合せで、フランジ１００とネジ取付２００とを接続するようにしてもよいし、互いに異なる材質の組合せで、フランジ１００とネジ取付２００とを接続するようにしてもよい。
【００３１】
突起部１２０を挿入領域２１１に合わせてフランジ１００の下部をネジ取付２００の上部に挿入し、フランジ１００をネジ取付２００に対して相対的に回転させ、突起部１２０を突起係合部２１３に嵌め込むことにより、フランジ１００とネジ取付２００とが接続される。なお、以下では、突起部１２０を突起係合部２１３に嵌め込む方向にフランジ１００をネジ取付２００に対して回転させる方向を、嵌込回転方向という。
【００３２】
フランジ１００は、径（外径および内径）の異なる２つの円筒部分を有している。上部が径の大きい円筒部分（以下、「第１円筒部分」という）１１０に相当し、下部が径の小さい円筒部分（以下、「第２円筒部分」という）１３０に相当する。
【００３３】
第１円筒部分１１０は、フランジ部分１１１を上部に有している。一方、第２円筒部分１３０は、２つの突起部１２０を外周面に有する。２つの突起部１２０は、同じ形状を有し、第２円筒部分１３０の中心軸を対称の中心として配されている。
【００３４】
突起部１２０は、逆Ｔ字状の形状であり、突起係合部２１３と係合して、フランジ１００とネジ取付２００の上下方向の移動を規制する第１突起部分１２１と、突起係合部２１３と係合して、フランジ１００とネジ取付２００の周方向（回転方向）の移動を規制する第２突起部分１２３とを有する。
【００３５】
第１突起部分１２１は、第２円筒部分１３０の周方向に沿って伸びており、周方向に沿って伸びる端面が、外周面に対して垂直な面である。第２突起部分１２３は、第１突起部分１２１の周方向中央部より垂直に上方に伸びており、フランジ１００の嵌込回転方向の前方の端面が嵌込回転方向の前方から後方にかけて鋭角に傾斜した斜面となっている。また、第２突起部分１２３において、嵌込回転方向の後方の端面は、外周面に対して垂直な面となっている。また、第２突起部分１２３は、斜面と垂直面との間に平坦な面を有することが好ましい。つまり、第２円筒部分１３０の径方向に沿って第２突起部分１２３を切った断面の形状は台形状であることが好ましい。
【００３６】
ネジ取付２００は、径（外径および内径）の異なる２つの円筒部分を有している。上部が径の大きい円筒部分（以下、「第３円筒部分」という）２１０に相当し、下部が径の小さい円筒部分（以下、「第４円筒部分」という）２３０に相当する。
【００３７】
第３円筒部分２１０と第４円筒部分２３０との境は、ネジ取付２００の径方向に平行な水平領域２４０となっている。このため、第３円筒部分２１０と第４円筒部分２３０との境に存在する水平領域２４０は、ネジ取付２００に接続されたフランジ１００の底部を支持する。
【００３８】
第３円筒部分２１０は、内周面の領域に応じて内径が異なる構造である。具体的には、フランジ１００において、第２円筒部分１３０のうち突起部１２０が設けられている部分の外径と同程度の内径となる２つの第１内径領域２２０（点線領域）と、第２円筒部分１３０のうち突起部１２０が設けられていない部分の外径と同程度の内径となる第２内径領域２１５と、第１内径領域２２０と第２内径領域２１５との間の内径を有する第３内径領域２１７とを有する。
【００３９】
本実施形態では、第１〜３内径領域２２０，２１５，２１７それぞれの内径差を、肉厚の違いで構成している。換言すれば、第２内径領域２１５は、第１内径領域２２０よりも厚みが厚く、第３内径領域２１７は、第１内径領域２２０より厚みが厚く、かつ、第２内径領域２１５よりも厚みが薄く設定されている。このような第１〜第３内径領域２２０，２１５，２１７は、第３円筒部分２１０の中心軸を対称の中心として２組が対称に配されている。
【００４０】
そして、上述した挿入領域２１１および突起係合部２１３は、第１内径領域２２０に形成されている。挿入領域２１１は、周方向における長さを横幅とし、周方向に垂直な長さを縦幅として、横幅がフランジ１００の第１突起部分１２１の周方向の長さと同程度であり、縦幅が第３円筒部分２１０の上部から下部までの領域である。
【００４１】
第３内径領域２１７は、挿入領域２１１と突起係合部２１３との間に存在し、フランジ１００が嵌込回転方向に回転されてネジ取付２００に取り付けられる際に、突起部１２０の第２突起部分１２３が一方向に乗り越える乗越突起部を構成している。乗越突起部２１７において嵌込回転方向の前方の端面は、内周面に対して垂直な面となっている。乗越突起部２１７において嵌込回転方向の後方の端面は、嵌込回転方向の後方から前方にかけて鋭角に傾斜した斜面となっている。また、乗越突起部２１７において、斜面と垂直面との間に平坦な面を有していることが好ましい。つまり、第３円筒部分２１０の径方向に沿って乗越突起部２１７を切った断面の形状は台形状であることが好ましい。
【００４２】
突起係合部２１３は、フランジ１００の突起部１２０が最終的に嵌め合わされることで、フランジ１００のネジ取付２００への接続が可能になり、突起部１２０と同一形状を有している。
【００４３】
突起係合部２１３において、突起部１２０の第１突起部分１２１と同じ形状を有する部分（逆Ｔ字の周方向に伸びる部分）は、嵌込回転方向の後方側が挿入領域２１１と隣接しており、前方側が第２内径領域２１５と隣接している。また、突起係合部２１３において、突起部１２０の第１突起部分１２１と同じ形状を有する部分の下端は、第３円筒部分２１０と第４円筒部分２３０との境に存在する水平領域２４０となっている。
【００４４】
突起係合部２１３において、突起部１２０の第２突起部分１２３と同じ形状を有する部分（逆Ｔ字の縦方向に伸びる部分）は、嵌込回転方向の後方が、乗越突起部２１７に隣接しており、嵌込回転方向の前方が、乗越突起部２１７と隣接している。
【００４５】
乗越突起部２１７および突起係合部２１３は、挿入領域２１１よりフランジ１００の嵌込回転方向の前方に存在し、第２内径領域２１５は、突起係合部２１３よりフランジ１００の嵌込回転方向の前方に存在する。
【００４６】
第４円筒部分２３０は、外周方向に、所定の間隔で複数の溝が設けられている。第４円筒部分２３０の複数の溝と、リング取付４００に設けられた複数の溝とが噛み合い、ネジ取付２００とリング取付４００とがネジ構造により締め付けられる。装置筐体の取付孔に固定するときには、支持部材３００がネジ取付２００に嵌めこまれたうえで、リング取付４００により締め付けられる。
【００４７】
ここで、図５，６（ａ）〜（ｃ）を参照して、フランジとネジ取付とを接続する流れについて説明する。図５は、フランジの突起部がネジ取付の挿入領域に挿入された状態を示す図である。図６（ａ）〜（ｃ）は、図５のＡ−Ａ’線断面において、フランジとネジ取付とを接続する流れを示す図である。
【００４８】
フランジ１００の２つの突起部１２０とネジ取付２００の２つの挿入領域２１１とを合わせて、フランジ１００の第２円筒部分１３０がネジ取付２００の第３円筒部分２１０に挿入される。ここで、第２円筒部分１３０の底部が第３円筒部分２１０と第４円筒部分２３０との境に存在する水平領域２４０に接触するまで挿入される。そして、フランジ１００の第２円筒部分１３０がネジ取付２００の第３円筒部分２１０に挿入された後、挿入領域２１１から突起係合部２１３に向けて、フランジ１００とネジ取付２００とが相対的に回転される。
【００４９】
挿入領域２１１から突起係合部２１３に向けて、フランジ１００とネジ取付２００とが相対的に回転される間、フランジ１００の第２突起部分１２３は、乗越突起部２１７に接触し、乗越突起部２１７を乗り越えると、突起部１２０全体が突起係合部２１３に嵌め込まれる。フランジ１００の第２突起部分１２３が乗越突起部２１７に接触し始めてから乗越突起部２１７を乗り越えるまでの間には、フランジ１００の第２突起部分１２３は、３つのステップを順番に経る。
【００５０】
まず、第２突起部分１２３の斜面が乗越突起部２１７の斜面に接触しながら乗越突起部２１７の平坦部分の手前まで乗り上げる第１ステップを経る。その後、第２突起部分１２３の平坦部分と乗越突起部２１７の平坦部分とが接触しながら、乗越突起部２１７の垂直面の手前まで移動する第２ステップを経る。最後に、第２突起部分１２３が乗越突起部２１７に堕ちこむ第３ステップを経る。
【００５１】
上述したように、第２ステップにおいては、第２突起部分１２３の斜面が乗越突起部２１７の斜面に接触しながら乗り上げていくので、フランジ１００をネジ取付２００に対して滑らかに回転させることができる。
【００５２】
また、第３ステップにおいて、突起部１２０全体が突起係合部２１３に嵌め込まれた際、第２突起部分１２３の垂直面と突起係合部２１３の垂直面とが対向しているので、突起係合部２１３から挿入領域２１１への方向に力が加えられたとしても、フランジ１００の第２突起部分１２３が乗越突起部２１７を乗り上げし難い。また、第２突起部分１２３は、周方向に厚みがあるので、周方向に力が加えられたとしても、突起の破損の可能性を低くすることができる。
【００５３】
また、突起係合部２１３より嵌込回転方向の前方には、第２内径領域２１５が存在するので、フランジ１００がネジ取付２００に対して回転されたとしても、第２内径領域２１５における内径は、フランジ１００の第２円筒部分１３０の外径と同等程度に設定されているので、フランジ１００の突起部１２０が第２内径領域２１５を乗り上げることはない。
【００５４】
さらに、突起部１２０全体が突起係合部２１３に嵌め込まれた際、フランジ１００の第１突起部分１２１は、外周面に対して垂直な２つの端面の一方（上側）乗越突起部２１７の径方向に平行な面および第２内径領域２１５の径方向に平行な面と対向するので、外周面に対して垂直な端面の一方（下側）が、第３円筒部分２１０と第４円筒部分２３０との間に存在する水平領域２４０と対向するので、垂直方向に対する力が加えられたとしても、フランジ１００の第１突起部分１２１が第２内径領域２１５、突起係合部２１３および第３円筒部分２１０と第４円筒部分２３０との間に存在する水平領域２４０を乗り上げることはない。
【００５５】
したがって、周方向に対する力および周方向に対して垂直な力が加えられたとしても、フランジ１００の突起部１２０が突起係合部２１３から外れることがない。また、乗越突起部２１７は、微調整することが容易であるので、フランジ１００の第２突起部分１２３がネジ取付２００の乗越突起部２１７を乗り上げし難くなるための変更が簡単である。
【００５６】
以上説明したように、本実施形態における固定部品は、フランジ１００と、リング取付がネジ構造によって締め付け可能なネジ取付２００とで取付パネルの取付孔の縁を挟み込むことにより取り付けられるスイッチの固定部品であって、フランジ１００は、断面円形の外周面に突起部１２０が設けられ、ネジ取付２００は、断面円形の内周面にフランジ１００の突起部１２０が挿入される挿入領域２１１と、フランジ１００の突起部１２０が嵌め込まれる突起係合部２１３と、突起係合部２１３と挿入領域２１１との間に形成された、突起係合部２１３および挿入領域２１１よりも小さい内径を有する乗越突起部２１７とが設けられ、突起部１２０は、外周面に沿って周方向に伸びる第１突起部分１２１と、該周方向に垂直方向に伸びる第２突起部分１２３とを有し、突起係合部１２３は、フランジ１００およびネジ取付２００が周方向の所定の一方向に相対的に回転される際に第１突起部分１２１が嵌め込まれる案内溝と、前記第２突起部分１２３が乗越突起部１２７を乗り越えて嵌め込まれる嵌込溝とで形成されている。
【００５７】
この構成によれば、突起係合部１２３は、フランジ１００およびネジ取付２００が周方向の所定の一方向に相対的に回転される際に、第１突起部分１２１が嵌め込まれる案内溝と、第２突起部分１２３が乗越突起部１２７を乗り越えて嵌め込まれる嵌込溝とで形成されている。
【００５８】
このため、フランジ１００の突起部１２０が突起係合部１２３に嵌め込まれている状態において、第１突起部分１２１の周方向に沿った端面が案内溝の壁面と対向することにより、フランジ１００の突起部１２０が周方向に垂直な方向に移動することを阻止することができる。また、この状態において、第２突起部分１２３の周方向に垂直な端面が嵌込溝の壁面と対向することにより、フランジ１００の突起部１２０が周方向に移動することを阻止することができる。これにより、従来と違ってイモネジなどで突起部の移動を阻止する部材を別に設ける必要がない。このため、イモネジが無い分、部品点数を少なくすることができるとともに、ねじ込み作業の工程も不要である。また、突起部１２０が乗越突起部２１７を乗り越える構成であるので、挿入領域２１１に嵌る範囲でフランジ１００の突起部１２０の厚みを厚く調整することができる。したがって、部品点数を少なくし、フランジとネジ取付との接続をより強固にすることができる。
【００５９】
なお、本実施の形態においては、押しボタン式スイッチを例に説明したが、その他のスイッチ、例えば把手を捻回して接点を強制的に開閉するセレクタスイッチにも採用することが可能である。
【００６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００６１】
１００  フランジ
１１０  第１円筒部分
１１１  フランジ部分
１２０  突起部
１２１  第１突起部分
１２３  第２突起部分
１３０  第２円筒部分
２００  ネジ取付
２１０  第３円筒部分
２１１  挿入領域
２１３  突起係合部（嵌込溝、案内溝）
２１５  第２内径領域
２１７  乗越突起部、第３内径領域
２２０  第１内径領域
２３０  円筒部分
２３０  第４円筒部分
２４０  水平領域
【図１】
2014071961.tif 000003
【図２】
2014071961.tif 000004
【図３】
2014071961.tif 000005
【図４】
2014071961.tif 000006
【図５】
2014071961.tif 000007
【図６】
2014071961.tif 000008
【図７】
2014071961.tif 000009
【図８】
2014071961.tif 000010
【図９】
2014071961.tif 000011